(57)【特許請求の範囲】
【請求項１】
地域別の気象予報情報と、携帯電話ごとの位置情報を受信する通信部と、
気象予報情報データベースと、第１テーブルと、第２テーブルを記録する記録部とを備えた商品提案サーバーであって、
前記気象予報情報データベースは、前記地域別の気象予報情報であり、
前記第１テーブルは、前記地域別に、指定領域と、案内条件と、商品との関係を示すものであり、
前記案内条件は、日時条件と気象条件を含み、
前記商品は、前記携帯電話が前記指定領域に入り、現在時刻から第１時間だけ後までの間の予報時刻を有する気象予報情報であって前記地域に対応するものの少なくとも一つが、前記案内条件と合う場合に、前記携帯電話に提案する商品であり、
前記第２テーブルは、前記商品提案サーバーが商品提案メッセージを送信する対象となる携帯電話の識別情報と、前記商品提案メッセージの送信先に関する情報との関係を示すものであり、
前記商品提案サーバーは、前記気象予報情報データベース、前記第１テーブル、前記第２テーブルに基づいて、前記携帯電話の位置情報が、前記指定領域の範囲内にあり、前記気象予報情報のうち、前記現在時刻から前記第１時間だけ後までの間の予報時刻を有するものの少なくとも一つが、前記案内条件と合う場合に、前記携帯電話に対して、前記商品の情報を含む前記商品提案メッセージを送信することを特徴とする商品提案サーバー。
【請求項２】
前記商品提案メッセージは、前記商品を購入出来るウェブページへのリンクを含むことを特徴とする請求項１に記載の商品提案サーバー。
【請求項３】
前記商品提案サーバーは、前記地域別に、前記気象予報情報を表示するウェブページを作成し、
前記商品提案メッセージは、前記携帯電話が居る指定領域に対応する地域の気象予報情報を表示するウェブページへのリンクを含むことを特徴とする請求項１に記載の商品提案サーバー。
【請求項４】
地域別の気象予報情報と、携帯電話ごとの位置情報を受信する通信部と、
気象予報情報データベースと、第１テーブルと、第２テーブルを記録する記録部とを備えた商品提案サーバーであって、
前記気象予報情報データベースは、前記地域別の気象予報情報であり、
前記第１テーブルは、前記地域別に、指定領域と、日時条件と気象条件を含む案内条件と、前記携帯電話が前記指定領域に入り、現在時刻から第１時間だけ後までの間の予報時刻を有する気象予報情報であって前記地域に対応するものの少なくとも一つが、前記案内条件と合う場合に、前記携帯電話に提案する商品との関係を示すものであり、
前記第２テーブルは、前記商品提案サーバーが商品提案メッセージを送信する対象となる携帯電話の識別情報と、前記商品提案メッセージの送信先に関する情報との関係を示すものであり、
前記商品提案サーバーは、前記気象予報情報データベース、前記第１テーブル、前記第２テーブルに基づいて、前記携帯電話の位置情報が、前記指定領域の範囲内にあり、前記気象予報情報のうち、前記現在時刻から前記第１時間だけ後までの間の予報時刻を有するものの少なくとも一つが、前記案内条件と合う場合に、前記携帯電話に対して、前記商品の情報を含む前記商品提案メッセージを送信し、
前記第２テーブルは、前記商品提案サーバーが前記商品提案メッセージを送信する対象となる前記携帯電話の識別情報と、前記商品提案メッセージの送信先に関する情報と、非案内領域に関する情報との関係を示すものであり、
前記携帯電話の位置情報が、前記携帯電話の非案内領域の範囲内にある場合は、前記商品提案メッセージの送信は行われないことを特徴とする商品提案サーバー。
【請求項５】
前記商品提案メッセージは、前記携帯電話が前記指定領域に入った時に、前記商品提案メッセージを必要としない旨の拒否メッセージを前記商品提案サーバーに送信するためのリンクを含み、
前記拒否メッセージを前記商品提案サーバーに送信するためのリンクが操作された場合には、前記指定領域が前記非案内領域に含まれるように前記第２テーブルが更新されることを特徴とする請求項４に記載の商品提案サーバー。
【請求項６】
地域別の気象予報情報と、携帯電話ごとの位置情報を受信する通信部と、
指定領域に関する情報と、気象条件を含む案内条件に関する情報と、前記指定領域と前記案内条件に対応する商品に関する情報と、非案内領域に関する情報を記録する記録部とを備えた商品提案サーバーであって、
前記商品提案サーバーは、前記携帯電話の位置情報が、前記指定領域の範囲内にあり、前記気象予報情報のうち、現在時刻から第１時間だけ後までの間の予報時刻を有するものの少なくとも一つが、前記案内条件と合う場合に、前記携帯電話に対して、前記商品の情報を含む商品提案メッセージを送信し、
前記携帯電話の位置情報が、前記携帯電話の非案内領域の範囲内にある場合は、前記商品提案メッセージの送信は行われないことを特徴とする商品提案サーバー。
【請求項７】
地域別の気象予報情報と、携帯電話ごとの位置情報と、前記地域ごとに接地された計測器を使って得られた地域別の気象に関する計測情報を受信する通信部と、
気象予報情報データベースと、気象計測情報データベースと、第１テーブルと、第２テーブルを記録する記録部とを備えた商品提案サーバーであって、
前記気象予報情報データベースは、前記地域別の気象予報情報であり、
前記気象計測情報データベースは、前記地域別の気象に関する計測情報であり、
前記第１テーブルは、前記地域別に、指定領域と、案内条件と、商品との関係を示すものであり、
前記案内条件は、日時条件と気象条件を含み、
前記商品は、前記携帯電話が前記指定領域に入り、現在時刻から第１時間だけ後までの間の予報時刻を有する気象予報情報であって前記地域に対応するものの少なくとも一つ、若しくは前記現在時刻から前記第１時間よりも短い第２時間だけ前までに計測された気象に関する計測情報であって前記地域に対応するものの少なくとも一つが、前記案内条件と合う場合に、前記携帯電話に提案する商品であり、
前記第２テーブルは、前記商品提案サーバーが商品提案メッセージを送信する対象となる携帯電話の識別情報と、前記商品提案メッセージの送信先に関する情報との関係を示すものであり、
前記商品提案サーバーは、前記気象予報情報データベース、前記気象計測情報データベース、前記第１テーブル、前記第２テーブルに基づいて、前記携帯電話の位置情報が、前記指定領域の範囲内にあり、前記気象予報情報のうち、前記現在時刻から前記第１時間だけ後までの間の予報時刻を有するものの少なくとも一つ、若しくは、前記気象に関する計測情報のうち、前記現在時刻から前記第２時間だけ前までに計測されたものの少なくとも一つが、前記案内条件と合う場合に、前記携帯電話に対して、前記商品の情報を含む前記商品提案メッセージを送信することを特徴とする商品提案サーバー。
【請求項８】
前記商品提案サーバーは、前記地域別に、前記気象に関する計測情報と前記気象予報情報を表示するウェブページを作成し、
前記商品提案メッセージは、前記携帯電話が居る指定領域に対応する地域の気象に関する計測情報と気象予報情報を表示するウェブページへのリンクを含むことを特徴とする請求項７に記載の商品提案サーバー。
【請求項９】
前記計測器は、前記計測器が設置された場所における温度、湿度、降水量、積雪量、風向き、風速、視程の少なくとも１つに関する情報を取得することを特徴とする請求項７に記載の商品提案サーバー。
【請求項１０】
前記計測器は、カメラを有し、
前記カメラは、前記計測器が設置された場所の周囲の画像を取得することを特徴とする請求項９に記載の商品提案サーバー。
【請求項１１】
前記商品提案メッセージは、前記携帯電話が居る指定領域に対応する地域の気象に関する計測情報や気象予報情報を表示するウェブページへのリンクと、前記カメラで取得された画像を表示するウェブページへのリンクを含むことを特徴とする請求項１０に記載の商品提案サーバー。
【請求項１２】
前記計測器は、前記計測器が設置された場所における視程、降水量、気温、湿度に関する情報を取得するものであり、
前記計測器で得られた情報に基づいて、天気の分類が特定され、
前記天気の分類が、前記気象に関する計測情報の一つとして用いられることを特徴とする請求項７に記載の商品提案サーバー。
【請求項１３】
地域ごとに設置された計測器を使って得られた地域別の気象に関する計測情報と、携帯電話ごとの位置情報を受信する通信部と、
気象計測情報データベースと、第１テーブルと、第２テーブルを記録する記録部とを備えた商品提案サーバーであって、
前記気象計測情報データベースは、前記地域別の気象に関する計測情報であり、
前記第１テーブルは、前記地域別に、指定領域と、案内条件と、商品との関係を示すものであり、
前記案内条件は、日時条件と気象条件を含み、
前記商品は、前記携帯電話が前記指定領域に入り、現在時刻から所定時間だけ前までに計測された前記気象に関する計測情報であって前記地域に対応するものの少なくとも一つが、前記案内条件と合う場合に、前記携帯電話に提案する商品であり、
前記第２テーブルは、前記商品提案サーバーが商品提案メッセージを送信する対象となる携帯電話の識別情報と、前記商品提案メッセージの送信先に関する情報との関係を示すものであり、
前記商品提案サーバーは、前記気象計測情報データベース、前記第１テーブル、前記第２テーブルに基づいて、前記携帯電話の位置情報が、前記指定領域の範囲内にあり、前記気象に関する計測情報のうち、前記現在時刻から前記所定時間だけ前までに計測されたものの少なくとも一つが、前記案内条件と合う場合に、前記携帯電話に対して、前記商品の情報を含む前記商品提案メッセージを送信することを特徴とする商品提案サーバー。
【発明の詳細な説明】
【技術分野】
【０００１】
本発明は、商品提案サーバーに関する。
【背景技術】
【０００２】
特許文献１などで、携帯端末の位置情報に応じて情報表示（警告表示）を行う監視システムが提案されている。
【先行技術文献】
【特許文献】
【０００３】
【特許文献１】特開２００８−３０５３０７号公報
【発明の概要】
【発明が解決しようとする課題】
【０００４】
しかしながら、警告表示のみであり、商品提案を行うことまでは出来ない。
【０００５】
したがって本発明の目的は、位置情報や気象に関する情報に対応した商品提案を行うサーバーを提供することである。
【課題を解決するための手段】
【０００６】
本発明に係る商品提案サーバーは、地域別の気象予報情報と、携帯電話ごとの位置情報を受信する通信部と、気象予報情報データベースと、第１テーブルと、第２テーブルを記録する記録部とを備えた商品提案サーバーであって、気象予報情報データベースは、地域別の気象予報情報であり、第１テーブルは、地域別に、指定領域と、日時条件と気象条件を含む案内条件と、携帯電話が指定領域に入り、現在時刻から第１時間だけ後までの間の予報時刻を有する気象予報情報であって地域に対応するものの少なくとも一つが、案内条件と合う場合に、携帯電話に提案する商品との関係を示すものであり、第２テーブルは、商品提案サーバーが商品提案メッセージを送信する対象となる携帯電話の識別情報と、商品提案メッセージの送信先に関する情報との関係を示すものであり、通信部は、気象予報情報データベース、第１テーブル、第２テーブルに基づいて、携帯電話の位置情報が、指定領域の範囲内にあり、気象予報情報のうち、現在時刻から第１時間だけ後までの間の予報時刻を有するものの少なくとも一つが、案内条件と合う場合に、携帯電話に対して、商品の情報を含む商品提案メッセージを送信する。
【０００７】
本実施形態における商品提案サーバーは、位置情報、日時情報、気象に関する情報（気象予報情報）などに対応した商品提案を行うことが出来る。
これにより、携帯電話の使用者が、指定領域に居て、案内条件（日時条件、気象条件）が合う場合に、当該携帯電話に対して、当該案内条件に対応する商品購入の提案を送ることが出来る。
特に本実施形態では、日時条件や気象条件を設定し、これらの条件に合う状態に限り、商品提案メッセージの送信を行う。
日時条件を設定することで、スキーシーズンで且つ夜間のスキーなど怪我の可能性が高くなるような時間帯にスキー保険を提案するなど、時期的に価値ある商品の提案を行うことが可能になる。
また、気象条件を設定することで、気象条件を考慮して色々な種類の商品の提案を行うことが可能になる。
【０００８】
好ましくは、商品提案メッセージは、商品を購入出来るウェブページへのリンクを含む。
【０００９】
商品提案メッセージには、提案した商品を購入するウェブページへのリンクが形成されているため、当該携帯電話の使用者は当該リンクにアクセスすることで簡単に当該商品の購入を行うことが可能になる。
【００１０】
さらに好ましくは、商品提案メッセージは、気象予報情報を表示するウェブページへのリンクを含む。
【００１１】
商品提案メッセージには、現在時刻よりも後の気象予報情報を表示するウェブページへのリンクが形成されているため、当該携帯電話の使用者は、現地（指定領域に対応する地域）の気象に関する詳細な情報を知ることが可能になる。
【００１２】
また、好ましくは、第２テーブルは、商品提案サーバーが商品提案メッセージを送信する対象となる携帯電話の識別情報と、商品提案メッセージの送信先に関する情報と、非案内領域に関する情報との関係を示すものであり、携帯電話の位置情報が、携帯電話の非案内領域の範囲内にある場合は、商品提案メッセージの送信は行われない。
【００１３】
非案内領域を設定することで、当該商品の提案を必要としない者の携帯電話に対しての商品提案メッセージの送信を制限することが可能になる。
【００１４】
さらに好ましくは、商品提案メッセージは、携帯電話が指定領域に入った時に、商品提案メッセージを必要としない旨の拒否メッセージを商品提案サーバーに送信するためのリンクを含み、拒否メッセージを商品提案サーバーに送信するためのリンクが操作された場合には、指定領域が非案内領域に含まれるように第２テーブルが更新される。
【００１５】
また、商品提案メッセージに対応する指定領域に入った時の次回以降の商品提案メッセージの送信を拒否する拒否回答ＵＲＬが商品提案メッセージに含められているため、当該拒否回答ＵＲＬへのアクセスにより、非案内領域を追加設定することも出来る。
【００１６】
また、好ましくは、基地局、交換機、ＶＬＲ、若しくはＨＬＲから、携帯電話に関する識別情報と、携帯電話の位置情報を受信することにより、通信部が、携帯電話ごとの位置情報を取得する。
【００１７】
携帯電話に特別のソフトウエアをインストールせずに、位置情報を把握し、商品提案メッセージの送信を行うことが可能になる。
【００１８】
また、好ましくは、通信部は、さらに、地域ごとに設置された計測器を使って得られた気象情報を受信するものであり、記録部は、さらに、地域別の気象情報を含む気象情報データベースを記録するものであり、第１テーブルは、地域別に、指定領域と、案内条件と、携帯電話が指定領域に入り、現在時刻から第１時間だけ後までの間の予報時刻を有する気象予報情報であって地域に対応するものの少なくとも一つ、若しくは現在時刻から第２時間だけ前までに計測された気象情報であって地域に対応するものの少なくとも一つが、案内条件と合う場合に、携帯電話に提案する商品との関係を示すものであり、通信部は、気象予報情報データベース、気象情報データベース、第１テーブル、第２テーブルに基づいて、携帯電話の位置情報が、指定領域の範囲内にあり、気象予報情報のうち、現在時刻から第１時間だけ後までの間の予報時刻を有するものの少なくとも一つ、若しくは、気象情報のうち、現在時刻から第２時間だけ前までに計測されたものの少なくとも一つが、案内条件と合う場合に、携帯電話に対して、商品提案メッセージを送信する。
【００１９】
さらに好ましくは、商品提案メッセージは、携帯電話が居る指定領域に対応する地域の気象情報や気象予報情報を表示するウェブページへのリンクを含む。
【００２０】
商品提案メッセージには、現在時刻よりも前に取得した気象情報と、現在時刻よりも後の気象予報情報とを表示するウェブページへのリンクが形成されているため、当該携帯電話の使用者は、現地（指定領域に対応する地域）の気象に関する詳細な情報を知ることが可能になる。
【００２１】
特に、気象予報情報だけでなく、現地に設置した計測器で取得した客観的な気象情報も使って、情報分析が可能になる。
【００２２】
また、好ましくは、計測器は、計測器が設置された場所における温度、湿度、降水量、積雪量、風向き、風速、視程の少なくとも１つに関する情報を取得する。
【００２３】
さらに好ましくは、計測器は、カメラを有し、カメラは、計測器が設置された場所の周囲の画像を取得する。
【００２４】
商品提案メッセージには、現地（指定領域に対応する地域）のカメラ画像を表示するウェブページのリンクが形成されているため、当該携帯電話の使用者は、現地の画像から気象に関する情報を判断することが可能になる。
【００２５】
さらに好ましくは、商品提案メッセージは、カメラで取得された画像を表示するウェブページへのリンクを含む。
【００２６】
また、好ましくは、計測器は、計測器が設置された場所における視程、降水量、気温、湿度に関する情報を取得するものであり、計測器で得られた情報に基づいて、天気の分類が特定され、天気の分類が、気象情報の一つとして用いられる。
【００２７】
本発明に係る商品提案サーバーは、地域ごとに設置された計測器を使って得られた気象情報と、携帯電話ごとの位置情報を受信する通信部と、気象情報データベースと、第１テーブルと、第２テーブルを記録する記録部とを備えた商品提案サーバーであって、気象情報データベースは、地域別の気象情報であり、第１テーブルは、地域別に、指定領域と、日時条件と気象条件を含む案内条件と、携帯電話が指定領域に入り、現在時刻から所定時間だけ前までに計測された気象情報であって地域に対応するものの少なくとも一つが、案内条件と合う場合に、携帯電話に提案する商品との関係を示すものであり、第２テーブルは、商品提案サーバーが商品提案メッセージを送信する対象となる携帯電話の識別情報と、商品提案メッセージの送信先に関する情報との関係を示すものであり、通信部は、気象情報データベース、第１テーブル、第２テーブルに基づいて、携帯電話の位置情報が、指定領域の範囲内にあり、気象情報のうち、現在時刻から所定時間だけ前までに計測されたものの少なくとも一つが、案内条件と合う場合に、携帯電話に対して、商品の情報を含む商品提案メッセージを送信する。
【発明の効果】
【００２８】
以上のように本発明によれば、位置情報や気象に関する情報に対応した商品提案を行うサーバーを提供することができる。
【図面の簡単な説明】
【００２９】
【図１】本実施形態における商品提案システムの構成図である。
【図２】気象予報情報データベースのコンテンツを示す図である。
【図３】気象情報データベースのコンテンツを示す図である。
【図４】第１テーブルのコンテンツを示す図である。
【図５】第２テーブルのコンテンツを示す図である。
【図６】商品提案メッセージの送信制御の手順を示すフローチャートである。
【図７】第３指定領域に入った第２携帯電話に対する商品提案メッセージのコンテンツ例を示す図である。
【図８】第３地域の気象に関する情報（気象情報や気象予報情報）の詳細を表示するウェブページのコンテンツ例を示す図である。
【図９】図５の状態から、非案内領域が追加された状態の第２テーブルのコンテンツを示す図である。
【図１０】第１指定領域に入った第３携帯電話に対する商品提案メッセージのコンテンツ例を示す図である。
【発明を実施するための形態】
【００３０】
以下、本実施形態について、図を用いて説明する。本実施形態における商品提案システム１は、気象データサーバー１０、気象情報送信装置（第１気象情報送信装置２１、第２気象情報送信装置２２、第３気象情報送信装置２３）、商品提案サーバー３０（通信部３１、記録部３３、制御部３５）、第１携帯電話５１〜第５携帯電話５５、入力装置７０を備える（図１参照）。
【００３１】
気象データサーバー１０は、地域別の気象予報情報を、商品提案サーバー３０に送信する。
具体的には、気象データサーバー１０は、商品提案サーバー３０の通信部３１に、入力装置７０を介して設定された地域（第１地域Ａ１、第２地域Ａ２、第３地域Ａ３）の気象予報情報を送信する。
気象予報情報は、予報時刻、警報、注意報、天気、気温、湿度、降水量、積雪量、風向き、風速に関する情報を有する。
本実施形態では、長野県北安曇郡白馬村北城のスキー場を第１地域Ａ１とし、神奈川県藤沢市片瀬海岸の海水浴場を第２地域Ａ２とし、京都府宇治田原町奥山田のゴルフ場を第３地域Ａ３として説明するが、これらの施設に限るものではないし、地域の数や対応する気象情報送信装置の数も３つに限るものではない。
【００３２】
第１気象情報送信装置２１〜第３気象情報送信装置２３は、計測器として、温度計、湿度計、降水量計、積雪計、風速計、視程計、カメラを有し、当該計測器が設置された場所の気象情報（温度、湿度、降水量、積雪量、風向き、風速、視程（大気の見通し）、カメラ画像（計測器が設置された周囲の画像））を所定の時刻に取得する。
第１気象情報送信装置２１は第１地域Ａ１に設置され、第２気象情報送信装置は第２地域Ａ２に設置され、第３気象情報送信装置２３は、第３地域Ａ３に設置される。
【００３３】
第１気象情報送信装置２１〜第３気象情報送信装置２３は、視程、降水量、気温、湿度などに基づいて、当該計測器が設置された場所の天気の分類（「雨」など）を特定する。
第１気象情報送信装置２１〜第３気象情報送信装置２３は、当該装置に対応する計測器が設置された地域の気象情報（計測日時、天気、温度、湿度、降水量、積雪量、風向き、風速、カメラ画像）を、商品提案サーバー３０の通信部３１に送信する。
【００３４】
なお、天気の分類の特定は、商品提案サーバー３０が行う形態であってもよい。
この場合、第１気象情報送信装置２１〜第３気象情報送信装置２３は、当該装置に対応する計測器が設置された地域の気象情報（計測日時、温度、湿度、降水量、積雪量、風向き、風速、視程、カメラ画像）を、商品提案サーバー３０の通信部３１に送信する。
【００３５】
商品提案サーバー３０の記録部３３は、気象データサーバー１０から送られてきた地域別の気象予報情報を、気象予報情報データベースＤ１として、記録する（図２参照）。
【００３６】
図２は、第１地域Ａ１、第２地域Ａ２、第３地域Ａ３の気象予報情報のうち、天気、温度、湿度、降水量、積雪量、風向き、風速については、予報時刻ごとに記録し、さらに、発令されている警報や注意報を記録した、気象予報情報データベースＤ１の例を示す。
【００３７】
商品提案サーバー３０の記録部３３は、第１気象情報送信装置２１〜第３気象情報送信装置２３から送られてきた計測位置における気象情報を、気象情報データベースＤ２として、記録する（図３参照）。
【００３８】
図３は、第１地域Ａ１の気象情報として、第１気象情報送信装置２１に対応する計測器であって「長野県北安曇郡白馬村北城１２１２４−５」に設置されたもので、２０１５年７月１０日８時に取得された気象情報（天気、気温、湿度、降水量、積雪量、風向き、風速、カメラ画像）と、第２地域Ａ２の気象情報として、第２気象情報送信装置２２に対応する計測器であって「神奈川県藤沢市片瀬海岸３丁目」に設置されたもので、２０１５年７月１０日８時に取得された気象情報（天気、気温、湿度、降水量、積雪量、風向き、風速、カメラ画像）と、第３地域Ａ３の気象情報として、第３気象情報送信装置２３に対応する計測器であって「京都府宇治田原町奥山田長尾３１−２」に設置されたもので、２０１５年７月１０日８時に取得された気象情報（天気、気温、湿度、降水量、積雪量、風向き、風速、カメラ画像）を記録した、気象情報データベースＤ２の例を示す。
【００３９】
本実施形態では、最新の情報（現在時刻に近い取得日時に取得された気象情報）だけを気象情報データベースＤ２に記録する形態を説明するが、取得日時ごとに過去の気象情報も蓄積する形態であってもよい。
また、本実施形態における現在時刻は、携帯電話の位置情報を取得した日時であるとして説明するが、図６に示す商品提案メッセージの送信制御におけるステップＳ１１若しくはステップＳ１３を実行する時点の日時であってもよい。
【００４０】
気象予報情報データベースＤ１における「地域名」、気象情報データベースＤ２における「（当該地域に設けられた施設などの）種類」や「計測位置住所」は、商品提案サーバー３０と通信可能な入力装置７０を介して設定され、商品提案サーバー３０の制御部３５が、「地域名」に対応する「対応地域番号」を、入力された順序などに基づいて設定する。
【００４１】
入力装置７０を介して設定された「地域名」に対応する気象予報情報が、気象予報情報データベースＤ１として記録部３３に記録される。
また、「対応地域番号」に対応する「計測位置住所」に設置された計測器からの気象情報や計測日時が、気象情報データベースＤ２として記録部３３に記録される。
【００４２】
カメラ画像については、商品提案サーバー３０の制御部３５が、画像データを表示するウェブページを作成し、当該ウェブページのＵＲＬ（Uniform Resource Locator、カメラ画像ＵＲＬ）が、気象情報データベースＤ２に記録される。
【００４３】
本実施形態では、第１地域Ａ１のカメラ画像を表示するウェブページのＵＲＬがhttp//infoserver.jp/?area=a1&info=cameraであり、第２地域Ａ２のカメラ画像を表示するウェブページのＵＲＬがhttp://infoserver.jp/?area=a2&info=cameraであり、第３地域Ａ３のカメラ画像を表示するウェブページのＵＲＬがhttp://infoserver.jp/?area=a3&info=cameraであるとして説明する。
【００４４】
また、商品提案サーバー３０の制御部３５は、指定地域ごとの気象に関する情報（気象情報や気象予報情報）を表示するウェブページを作成し、当該ウェブページのＵＲＬ（気象ＵＲＬ）が、気象予報情報データベースＤ１に記録される。
【００４５】
本実施形態では、第１地域Ａ１の気象に関する情報（気象情報や気象予報情報）を表示するウェブページ（図８参照）のＵＲＬがhttp://infoserver.jp/?area=a1&info=weatherであり、第２地域Ａ２の気象に関する情報（気象情報や気象予報情報）を表示するウェブページのＵＲＬがhttp://infoserver.jp/?area=a2&info=weatherであり、第３地域Ａ３の気象に関する情報（気象情報や気象予報情報）を表示するウェブページのＵＲＬがhttp://infoserver.jp/?area=a3&info=weatherであるとして説明する。
【００４６】
商品提案サーバー３０の記録部３３は、気象予報情報データベースＤ１、気象情報データベースＤ２に加えて、第１テーブル（指定領域−案内条件−商品変換テーブル）Ｔ１、第２テーブル（端末−送信先情報変換テーブル）Ｔ２を記録する。
【００４７】
第１テーブルＴ１は、地域別に、指定領域と、案内条件（日時、気象条件）と、携帯電話が当該指定領域に入り、現在時刻（位置情報取得時刻）から第１時間ｔｔ１だけ後までの間の予報時刻を有する気象予報情報であって当該地域に対応するものの少なくとも一つ、若しくは現在時刻から第２時間ｔｔ２だけ前までに計測された気象情報であって当該地域に対応するものの少なくとも一つが案内条件と合う場合に当該携帯電話に提案する商品や当該商品を購入出来るウェブページのＵＲＬ（商品購入ＵＲＬ）との関係を示す（図４参照）。
【００４８】
本実施形態では、第１時間ｔｔ１を２時間であるとし、第２時間ｔｔ２を１時間であるとして説明するが、これ以上に長く設定する形態であっても良いし、短く設定する形態であってもよい。
【００４９】
商品は、保険商品、携帯電話で使用するアプリケーション（ソフトウエア）など、インターネット上の決済手続の後、その場で商品を使用したり、サービスの提供を受けたりすることが出来るものであるのが望ましいが、飲食・宿泊施設の予約など、その場で商品を使用したり、サービスの提供を受けたり出来るもの以外であってもよい。
【００５０】
本実施形態では、第１地域Ａ１（スキー場）については、北緯３６．７０１８１５度、東経１３７．８３９３８３度の位置を中心とした半径２００ｍの領域（当該スキー場の麓付近）を指定領域（第１指定領域Ｂ１）とし、日時条件：１２月〜３月の１７時〜２１時の時間帯に第１指定領域Ｂ１に入った携帯電話に対して、天気が「雪」で、気温が「０℃以下」で、風速が「１０ｍ／ｓ以上」の場合に、商品：スキー保険（ＵＲＬ：http://insuranceserver.jp/?area=a1&menu=ski）を提案する商品提案メッセージを送信する、また、日時条件：５月〜１０月の７時〜１７時の時間帯に第１指定領域Ｂ１に入った携帯電話に対して、天気が「雨」の場合に、商品：山岳保険（ＵＲＬ：http://insuranceserver.jp/?area=a1&menu=mountain）を提案する商品提案メッセージを送信する条件が設定された例を示す。
【００５１】
また、第２地域Ａ２（海水浴場）については、北緯３５．３１０９５５度、東経１３９．４７９１３４度の位置を中心とした半径１００ｍの領域（当該海水浴場の入り口付近）を指定領域（第２指定領域Ｂ２）とし、日時条件：６月〜９月の７時〜２０時の時間帯に第２指定領域Ｂ２に入った携帯電話に対して、気温が「３０℃以上」の場合に、商品：スポーツレジャー保険（ＵＲＬ：http://insuranceserver.jp/?area=a2&menu=leisure）を提案する商品提案メッセージを送信する条件が設定された例を示す。
【００５２】
また、第３地域Ａ３（ゴルフ場）については、北緯３４．５１４００度、東経１３５．５４４５度の位置を中心とした半径５０ｍの領域（幹線道路と当該ゴルフ場に入る道路の交差点付近）を指定領域（第３指定領域Ｂ３）とし、日時条件：３月〜１１月の７時〜１８時の時間帯に第３指定領域Ｂ３に入った携帯電話に対して、「雷に関する警報若しくは注意報」が発令された場合に、商品：ゴルフ保険（ＵＲＬ：http://insuranceserver.jp/?area=a3&menu=golf）を提案する商品提案メッセージを送信する条件が設定された例を示す。
【００５３】
第１テーブルＴ１における「指定領域（中心位置の緯度経度、半径）」や「案内条件（日時条件、気象条件）」や「商品」や「商品を購入出来るウェブページのＵＲＬ」は、商品提案サーバー３０と通信可能な入力装置７０を介して設定される。
なお、指定領域の設定方法は、中心位置の緯度経度と半径を入力するものに限るものではなく、他の方法で円以外の形状に領域設定を行っても良い。
【００５４】
第２テーブルＴ２は、商品提案サーバー３０が商品提案メッセージを送信する対象となる第１携帯電話５１〜第５携帯電話５５の識別情報（ＩＣＣＩＤ：IC Card Identifier、ただし、ＩＭＳＩ：International Mobile Subscriber Identity、ＩＭＥＩ：International Mobile Equipment Identityなどであってもよい）と、当該商品提案メッセージの送信先に関する情報（電話番号若しくはメールアドレス）、非案内領域の緯度経度情報の関係を示す（図５参照）。
【００５５】
設定された位置を中心とした所定長さの半径の領域が非案内領域とされ、対応する携帯電話が当該非案内領域に居る場合は、指定領域に居て且つ気象予報情報若しくは気象情報の一つが案内条件（日時条件、気象条件）と合う場合でも、商品提案サーバー３０は、当該携帯電話に対して、当該指定領域に対応する商品提案メッセージを送信しない。
所定長さの半径は、指定領域で設定された半径よりも長い値（たとえば、１ｋｍ）に設定される。
【００５６】
本実施形態では、第１携帯電話５１に含まれるＳＩＭカード（Subscriber Identity Module Card）のＩＣＣＩＤが“８９８１  １０００  ２２１５  ２９６７  ７０５”で、第２携帯電話５２に含まれるＳＩＭカードのＩＣＣＩＤが“８０８１  １０００  ２３５２  ６１７８  １３６”で、第３携帯電話５３に含まれるＳＩＭカードのＩＣＣＩＤが“８９８１  １０００  ２３５３  ３７８１  １７９”で、第４携帯電話５４に含まれるＳＩＭカードのＩＣＣＩＤが“８０８１  １０００  ２０６２  ０１２４  ５３７”で、第５携帯電話５５に含まれるＳＩＭカードのＩＣＣＩＤが“８９８１  １０００  ５２７０  ０１１９  １９４”であるものとして説明する。
【００５７】
図５に示す第２テーブルＴ２は、第１携帯電話５１については、商品提案メッセージの送信先が電話番号：０９０−××○○−△△××に設定され、非案内領域（第１非案内領域Ｃ１）が北緯３５．３１７１０１度、東経１３９．５００２０６の位置（神奈川県鎌倉市津西）を中心とした所定長さの半径の領域（一部が第２指定領域Ｂ２と重複する）に設定され、第２携帯電話５２については、商品提案メッセージの送信先がメールアドレス：ｙａｍａｄａ＠ａｂｃ．ｅｆｇ．ｊｐに設定され、非案内領域（第２非案内領域Ｃ２、不図示）が設定されず、第３携帯電話５３については、商品提案メッセージの送信先が電話番号：０９０−△△××−××○○に設定され、非案内領域（第３非案内領域Ｃ３、不図示）が設定されず、第４携帯電話５４については、商品提案メッセージの送信先がメールアドレス：ｋｉｍｕｒａ＠ｋｅｉ．ｋｅｓ．ｃｏｍに設定され、非案内領域（第４非案内領域Ｃ４）が北緯３６．７００４７６度、東経１３７．８３９６７９度の位置（長野県北安曇郡白馬村北城）を中心とした所定長さの半径の領域（一部が第１指定領域Ｂ１と重複する）に設定され、第５携帯電話５５については、商品提案メッセージの送信先がメールアドレス：ｓａｔｏ＠ａｉｅ．ｓｌｅ．ｃｏｍに設定され、非案内領域（第５非案内領域Ｃ５）が北緯３４．８７７９６３度、東経１３５．９１２６４３度の位置（京都府綴喜郡宇治田原町奥山田長尾）を中心とした所定長さの半径の領域（一部が第３指定領域Ｂ３と重複する）に設定された例を示す。
【００５８】
商品提案サーバー３０の通信部３１は、第１携帯電話５１〜第５携帯電話５５のそれぞれと通信を行い、一定時間（たとえば、５分）ごとに、第１携帯電話５１〜第５携帯電話５５の位置情報を取得する。
【００５９】
たとえば、第１携帯電話５１〜第５携帯電話５５にインストールされた所定のソフトウエアを使って、商品提案サーバー３０の通信部３１に対して定期的に位置情報を送信する形態が考えられる。
【００６０】
また、商品提案サーバー３０の通信部３１が、通信キャリアにおける、携帯電話と無線リンクを形成する基地局、携帯電話のルーチング（通信ルートの選定）や呼設定・切断、課金等を行う移動交換機（ＭＳＣ：Mobile Switching Center）、移動交換機がカバーするエリアごとの位置登録データベースであるＶＬＲ（Visitor Location Register）、ゲートウェイ交換機（ＧＭＳＣ：Gateway Mobile Switching Center）、携帯電話番号や当該携帯電話の識別情報（ＩＭＥＩなど端末の識別番号、ＩＣＣＩＤなどＳＩＭカードの識別番号）や位置情報などのユーザー情報を管理するデータベースであるＨＬＲ（Home Location Register）の何れかと通信を行い、第１携帯電話５１〜第５携帯電話５５の位置情報を取得する形態が考えられる。
【００６１】
また、指定領域の略中心に所定長さの半径と同等の通信距離を有する無線通信装置（不図示）を設置し、当該無線通信装置と無線通信が出来た携帯電話は、当該指定領域内に居ると判断され、当該無線通信装置が設置された位置を当該携帯電話の位置情報として、商品提案サーバー３０の通信部３１に送信する形態が考えられる。
携帯電話と無線通信装置との間で行われる無線通信の無線通信手段は、当該無線通信手段をオン状態にしている間、外部に自身の識別情報を発信するもので、IEEE802.15.1（Bluetooth（登録商標））や、IEEE802.11（無線LAN）などが考えられる。
【００６２】
商品提案サーバー３０の制御部３５は、気象予報情報データベースＤ１、気象情報データベースＤ２、第１テーブルＴ１、第２テーブルＴ２に基づいて、携帯電話の位置情報が、第１指定領域Ｂ１〜第３指定領域Ｂ３の何れかの範囲内にあるか否か（図６のステップＳ１１参照）、当該携帯電話の位置情報が当該携帯電話の非案内領域の範囲内にあるか否か（図６のステップＳ１２参照）、現在時刻（位置情報取得時刻）から第１時間ｔｔ１だけ後までの間の予報時刻を有する気象予報情報の少なくとも一つ若しくは現在時刻から第２時間ｔｔ２だけ前までに計測された気象情報の少なくとも一つが案内条件（日時条件、気象条件）と合うか否か（図６のステップＳ１３参照）を判断する。
なお、気象予報情報における警報や注意報は、現在時刻から第１時間ｔｔ１だけ後までの間の予報時刻を有する気象予報情報に含まれるものとして、上記判断が行われる。
【００６３】
商品提案サーバー３０の通信部３１は、気象予報情報データベースＤ１、気象情報データベースＤ２、第１テーブルＴ１、第２テーブルＴ２に基づいて、携帯電話の位置情報が、第１指定領域Ｂ１〜第３指定領域Ｂ３の何れかの範囲内にあり、現在時刻（位置情報取得時刻）から第１時間ｔｔ１だけ後までの間の予報時刻を有する気象予報情報の少なくとも一つ若しくは現在時刻から第２時間ｔｔ２だけ前までに計測された気象情報の少なくとも一つが案内条件（日時条件、気象条件）と合う場合に、当該携帯電話に対して、対応する商品の情報を含む商品提案メッセージを送信する（図６のステップＳ１４参照）。
【００６４】
ただし、当該携帯電話の位置情報が当該携帯電話の非案内領域の範囲内にある場合は、当該商品提案メッセージの送信は行われない（図６のステップＳ１２参照）。
【００６５】
商品提案メッセージは、当該携帯電話が居る指定領域に対応する地域の気象に関する情報（気象情報や気象予報情報）における気象項目（たとえば、「天気」）うち、少なくとも案内条件に合うものや、案内条件に対応する商品の購入を勧めるメッセージや、当該商品を購入出来るウェブページへのリンク（たとえば、当該ウェブページにアクセス出来る商品購入ＵＲＬ）を含む。
商品購入ＵＲＬは、当該商品購入のウェブページを記録するサーバー（商品提案サーバー３０と別のサーバーであっても同じサーバーであってもよい）のアドレス（http://insuranceserfer.jp）と、指定領域に対応する地域を特定するための情報と、商品（保険の種類）を特定するための情報とを有する。
【００６６】
当該商品購入ＵＲＬのハイパーリンクがクリックされ、ネットワークを介して、当該ハイパーリンクに関連づけられたＵＲＬ情報のアドレスへのアクセスができた場合、アドレス「http://insuranceserver.jp」へのアクセスを受けたサーバーは、「？」以下のパラメータを読み取り、「area=」以下の指定領域に対応する地域を示す識別子と、「menu=」以下の購入する商品を示す識別子とを読み取り、当該携帯電話に、当該商品を購入出来るウェブページを表示させる。
【００６７】
また、商品提案メッセージは、当該携帯電話が居る指定領域に対応する地域の気象に関する情報（気象情報や気象予報情報）の詳細を表示するウェブページへのリンク（当該ウェブページにアクセス出来る気象ＵＲＬ）を含む。
気象ＵＲＬは、商品提案サーバー３０のアドレス（http://infoserver.jp）と、指定領域に対応する地域を特定するための情報と、情報の種類（気象に関する情報）を特定するための情報とを有する。
【００６８】
当該気象ＵＲＬのハイパーリンクがクリックされ、ネットワークを介して、当該ハイパーリンクに関連づけられたＵＲＬ情報のアドレスへのアクセスができた場合、アドレス「http://infoserver.jp」へのアクセスを受けた商品提案サーバー３０は、「？」以下のパラメータを読み取り、「area=」以下の指定領域に対応する地域を示す識別子と、「info=」以下の気象に関する情報表示を示す識別子（weather）とを読み取り、当該携帯電話に、当該携帯電話が居る指定領域に対応する地域の気象に関する情報（気象情報や気象予報情報）の詳細を示すウェブページを表示させる。
【００６９】
また、商品提案メッセージは、当該携帯電話が居る指定領域に対応する地域の計測器が設置された周囲の画像（カメラ画像）を表示するウェブページへのリンク（当該ウェブページにアクセス出来るカメラ画像ＵＲＬ）を含む。
カメラ画像ＵＲＬは、商品提案サーバー３０のアドレス（http://infoserver.jp）と、指定領域に対応する地域を特定するための情報と、情報の種類（カメラ画像）を特定するための情報とを有する。
【００７０】
当該カメラ画像ＵＲＬのハイパーリンクがクリックされ、ネットワークを介して、当該ハイパーリンクに関連づけられたＵＲＬ情報のアドレスへのアクセスができた場合、アドレス「http://infoserver.jp」へのアクセスを受けた商品提案サーバー３０は、「？」以下のパラメータを読み取り、「area=」以下の指定領域に対応する地域を示す識別子と、「info=」以下のカメラ画像表示を示す識別子（camera）とを読み取り、当該携帯電話に、当該携帯電話が居る指定領域に対応する地域の計測器が設置された周囲の画像（カメラ画像）を示すウェブページを表示させる。
【００７１】
また、商品提案メッセージは、今後、当該携帯電話が当該指定領域に入った時に、同じ商品提案メッセージを必要としない旨の拒否メッセージを商品提案サーバー３０に送信するためのリンク（たとえば、拒否回答ＵＲＬ）を含む。
拒否回答ＵＲＬは、商品提案サーバー３０のアドレス（http://infoserver.jp）と、指定領域に対応する領域を特定するための情報と、情報の種類（メッセージ拒否）を特定するための情報とを有する。
【００７２】
当該拒否回答ＵＲＬのハイパーリンクがクリックされ、ネットワークを介して、当該ハイパーリンクに関連づけられたＵＲＬ情報のアドレスへのアクセスができた場合、アドレス「http://infoserver.jp」へのアクセスを受けた商品提案サーバー３０は、「？」以下のパラメータを読み取り、「area=」以下の指定領域に対応する地域を示す識別子と、「info=」以下の拒否メッセージ設定を示す識別子（reject）とを読み取り、当該携帯電話が居る指定領域の中心位置の緯度経度情報を、第２テーブルＴ２における当該携帯電話の非案内領域として追加する。
非案内領域の所定長さの半径は、指定領域で設定された半径よりも長い値に設定されるので、当該携帯電話が居る指定領域の全域を含む領域が当該携帯電話の非案内領域に設定される、すなわち、当該携帯電話が居る指定領域が当該携帯電話の非案内領域に含まれるように第２テーブルＴ２が更新される。
【００７３】
具体例として、現在時刻（位置情報取得時刻）が７月１０日８時３０分で、第１携帯電話５１〜第５携帯電話５５の第１指定領域Ｂ１などとの位置関係が図１に示す状態である場合における、商品提案サーバー３０が実行する商品提案メッセージの送信制御や商品提案メッセージの内容を説明する。
【００７４】
第１携帯電話５１は、第２指定領域Ｂ２の範囲内に居る。
しかし、第１携帯電話５１は、第１携帯電話５１の非案内領域（第１非案内領域Ｃ１）の範囲内に居るので、商品提案サーバー３０の通信部３１は、第１携帯電話５１に対して、商品提案メッセージの送信を行わない。
【００７５】
第２携帯電話５２は、第３指定領域Ｂ３の範囲内に居る。
また、第２携帯電話５２は、第２携帯電話５２の非案内領域（第２非案内領域Ｃ２）の範囲内に居ない。
また、第２携帯電話５２が居る第３地域Ａ３は、気象予報情報の予報日時（７月１０日９時、現在時刻から第１時間ｔｔ１だけ後までの間の予報時刻）が、日時条件（３月〜１１月の７時〜１８時）に含まれ、気象予報情報における雷注意報が、気象条件と合う。
このため、商品提案サーバー３０の通信部３１は、第２携帯電話５２に対して、商品：ゴルフ保険の情報を含む商品提案メッセージの送信を行う。
【００７６】
第２携帯電話５２へ送信する商品提案メッセージは、第２携帯電話５２が居る第３指定領域Ｂ３に対応する第３地域Ａ３の気象に関する情報（気象情報や気象予報情報）のうち、少なくとも案内条件と合う気象項目（気象予報情報における注意報「雷」）や、商品（ゴルフ保険）の購入を勧めるメッセージや、商品（ゴルフ保険）を購入出来るウェブページにアクセス出来る商品購入ＵＲＬ（例として、http://insuranceserver.jp/?area=a3&menu=golf）を含む（図７参照）。
【００７７】
当該商品購入ＵＲＬのハイパーリンクがクリックされ、ネットワークを介して、当該ハイパーリンクに関連づけられたＵＲＬ情報のアドレスへのアクセスができた場合、アドレス「http:// insuranceserver.jp」へのアクセスを受けたサーバーは、「？」以下のパラメータを読み取り、「area=」以下の第３地域Ａ３を示す識別子（a3）と、「menu=」以下の「ゴルフ保険」を示す識別子（golf）とを読み取り、第２携帯電話５２に、商品（ゴルフ保険）を購入出来るウェブページを表示させる。
【００７８】
また、第２携帯電話５２へ送信する商品提案メッセージは、第２携帯電話５２が居る第３指定領域Ｂ３に対応する第３地域Ａ３の気象に関する情報（気象情報や気象予報情報）の詳細を表示するウェブページ（図８参照）にアクセス出来る気象ＵＲＬ（例として、http://infoserver.jp/?area=a3&info=weather）を含む。
【００７９】
当該気象ＵＲＬのハイパーリンクがクリックされ、ネットワークを介して、当該ハイパーリンクに関連づけられたＵＲＬ情報のアドレスへのアクセスができた場合、アドレス「http://infoserver.jp」へのアクセスを受けた商品提案サーバー３０は、「？」以下のパラメータを読み取り、「area=」以下の第３地域Ａ３を示す識別子（a3）と、「info=」以下の気象に関する情報表示を示す識別子（weather）とを読み取り、第２携帯電話５２に、第３地域Ａ３の気象に関する情報（気象情報や気象予報情報）の詳細を示すウェブページを表示させる。
【００８０】
また、第２携帯電話５２へ送信する商品提案メッセージは、第２携帯電話５２が居る第３指定領域Ｂ３に対応する第３地域Ａ３の計測器が設置された周囲の画像（カメラ画像）を表示するウェブページ（不図示）へアクセス出来るカメラ画像ＵＲＬ（例として、http://infoserver.jp/?area=a3&info=camera）を含む。
【００８１】
当該カメラ画像ＵＲＬのハイパーリンクがクリックされ、ネットワークを介して、当該ハイパーリンクに関連づけられたＵＲＬ情報のアドレスへのアクセスができた場合、アドレス「http://infoserver.jp」へのアクセスを受けた商品提案サーバー３０は、「？」以下のパラメータを読み取り、「area=」以下の第３地域Ａ３を示す識別子（a3）と、「info=」以下のカメラ画像表示を示す識別子（camera）とを読み取り、第２携帯電話５２に、第３地域Ａ３の計測器が設置された周囲の画像（カメラ画像）を示すウェブページを表示させる。
【００８２】
また、第２携帯電話５２へ送信する商品提案メッセージは、今後、第２携帯電話５２が第３指定領域Ｂ３に入った時に、同じ商品提案メッセージを必要としない旨のメッセージを商品提案サーバー３０に送信するための拒否回答ＵＲＬ（例として、http://infoserver.jp/?area=a3&info=reject）を含む。
【００８３】
当該拒否回答ＵＲＬのハイパーリンクがクリックされ、ネットワークを介して、当該ハイパーリンクに関連づけられたＵＲＬ情報のアドレスへのアクセスができた場合、アドレス「http://infoserver.jp」へのアクセスを受けた商品提案サーバー３０は、「？」以下のパラメータを読み取り、「area=」以下の第３地域Ａ３を示す識別子（a3）と、「info=」以下の拒否メッセージ設定を示す識別子（reject）とを読み取り、第３地域Ａ３に対応する第３指定領域Ｂ３の中心位置の緯度経度情報を、第２テーブルＴ２における第２携帯電話５２の非案内領域として追加する（図９参照）。
非案内領域の所定長さの半径は、指定領域で設定された半径よりも長い値に設定されるので、第３指定領域Ｂ３の全域を含む領域が第２携帯電話５２の非案内領域に設定される、すなわち、第３指定領域Ｂ３が第２携帯電話５２の非案内領域に含まれるように第２テーブルＴ２が更新される。
【００８４】
第３携帯電話５３は、第１指定領域Ｂ１の範囲内に居る。
また、第３携帯電話５３は、第３携帯電話５３の非案内領域（第３非案内領域Ｃ３、未設定））の範囲内に居ない。
また、第３携帯電話５３が居る第１地域Ａ１は、気象情報の計測日時（７月１０日８時、現在時刻から第２時間ｔｔ２だけ前までに計測された気象情報）が、日時条件（５月〜１０月の７時〜１７時の間）に含まれ、気象情報の雨が、山岳保険に対応する気象条件と合う。
ただし、スキー保険に対応する日時条件（１２月〜３月の１７時〜２１時）や、気象条件の天気：雪は、気象予報情報の予報日時や気象情報の計測日時と合わず、気象予報情報や気象情報の天気：弱雨若しくは雨と合わない。
このため、商品提案サーバー３０の通信部３１は、第３携帯電話５３に対して、商品：山岳保険の情報を含む商品提案メッセージの送信を行うが、商品：スキー保険の情報を含む商品提案メッセージの送信は行わない。
【００８５】
第３携帯電話５３へ送信する商品提案メッセージは、第３携帯電話５３が居る第１指定領域Ｂ１に対応する第１地域Ａ１の気象に関する情報（気象情報や気象予報情報）のうち、少なくとも案内条件と合う気象項目（気象情報における天気「雨」）や、商品（山岳保険）の購入を勧めるメッセージや、商品（山岳保険）を購入出来るウェブページにアクセス出来る商品購入ＵＲＬ（例として、http://insuranceserver.jp/?area=a1&menu=mountain）を含む（図１０参照）。
【００８６】
当該商品購入ＵＲＬのハイパーリンクがクリックされ、ネットワークを介して、当該ハイパーリンクに関連づけられたＵＲＬ情報のアドレスへのアクセスができた場合、アドレス「http:// insuranceserver.jp」へのアクセスを受けたサーバーは、「？」以下のパラメータを読み取り、「area=」以下の第１地域Ａ１を示す識別子（a1）と、「menu=」以下の「山岳保険」を示す識別子（mountain）とを読み取り、第３携帯電話５３に、商品（山岳保険）を購入出来るウェブページを表示させる。
【００８７】
また、第３携帯電話５３へ送信する商品提案メッセージは、第３携帯電話５３が居る第１指定領域Ｂ１に対応する第１地域Ａ１の気象に関する情報（気象情報や気象予報情報）の詳細を表示するウェブページ（不図示）にアクセス出来る気象ＵＲＬ（例として、http://infoserver.jp/?area=a1&info=weather）を含む。
【００８８】
当該気象ＵＲＬのハイパーリンクがクリックされ、ネットワークを介して、当該ハイパーリンクに関連づけられたＵＲＬ情報のアドレスへのアクセスができた場合、アドレス「http://infoserver.jp」へのアクセスを受けた商品提案サーバー３０は、「？」以下のパラメータを読み取り、「area=」以下の第１地域Ａ１を示す識別子（a1）と、「info=」以下の気象に関する情報表示を示す識別子（weather）とを読み取り、第３携帯電話５３に、第１地域Ａ１の気象に関する情報（気象情報や気象予報情報）の詳細を示すウェブページを表示させる。
【００８９】
また、第３携帯電話５３へ送信する商品提案メッセージは、第３携帯電話５３が居る第１指定領域Ｂ１に対応する第１地域Ａ１の計測器が設置された周囲の画像（カメラ画像）を表示するウェブページ（不図示）へアクセス出来るカメラ画像ＵＲＬ（例として、http://infoserver.jp/?area=a1&info=camera）を含む。
【００９０】
当該カメラ画像ＵＲＬのハイパーリンクがクリックされ、ネットワークを介して、当該ハイパーリンクに関連づけられたＵＲＬ情報のアドレスへのアクセスができた場合、アドレス「http://infoserver.jp」へのアクセスを受けた商品提案サーバー３０は、「？」以下のパラメータを読み取り、「area=」以下の第１地域Ａ１を示す識別子（a1）と、「info=」以下のカメラ画像表示を示す識別子（camera）とを読み取り、第３携帯電話５３に、第１地域Ａ１の計測器が設置された周囲の画像（カメラ画像）を示すウェブページを表示させる。
【００９１】
また、第３携帯電話５３へ送信する商品提案メッセージは、今後、第３携帯電話５３が第１指定領域Ｂ１に入った時に、同じ商品提案メッセージを必要としない旨のメッセージを商品提案サーバー３０に送信するための拒否回答ＵＲＬ（例として、http://infoserver.jp/?area=a1&info=reject）を含む。
【００９２】
当該拒否回答ＵＲＬのハイパーリンクがクリックされ、ネットワークを介して、当該ハイパーリンクに関連づけられたＵＲＬ情報のアドレスへのアクセスができた場合、アドレス「http://infoserver.jp」へのアクセスを受けた商品提案サーバー３０は、「？」以下のパラメータを読み取り、「area=」以下の第１地域Ａ１を示す識別子（a1）と、「info=」以下の拒否メッセージ設定を示す識別子（reject）とを読み取り、第１地域Ａ１に対応する第１指定領域Ｂ１の中心位置の緯度経度情報が、第２テーブルＴ２における第３携帯電話５３の非案内領域として追加される。
非案内領域の所定長さの半径は、指定領域で設定された半径よりも長い値に設定されるので、第１指定領域Ｂ１の全域を含む領域が第３携帯電話５３の非案内領域に設定される、すなわち、第１指定領域Ｂ１が第３携帯電話５３の非案内領域に含まれるように第２テーブルＴ２が更新される。
【００９３】
第４携帯電話５４は、第１指定領域Ｂ１の範囲内に居る。
しかし、第４携帯電話５４は、第４携帯電話５４の非案内領域（第４非案内領域Ｃ４）の範囲内に居るので、商品提案サーバー３０の通信部３１は、第４携帯電話５４に対して、商品提案メッセージの送信を行わない。
【００９４】
第５携帯電話５５は、第１指定領域Ｂ１〜第３指定領域Ｂ３の範囲外に居る。
従って、商品提案サーバー３０の通信部３１は、第５携帯電話５５に対して、商品提案メッセージの送信を行わない。
【００９５】
本実施形態における商品提案サーバー３０は、位置情報、日時情報、気象に関する情報（気象情報や気象予報情報）などに対応した商品提案を行うことが出来る。
これにより、携帯電話の使用者が、指定領域（第１指定領域Ｂ１〜第３指定領域Ｂ３）に居て、案内条件（日時条件、気象条件）が合う場合に、当該携帯電話に対して、当該案内条件に対応する商品購入の提案を送ることが出来る。
特に本実施形態では、日時条件や気象条件を設定し、これらの条件に合う状態に限り、商品提案メッセージの送信を行う。
日時条件を設定することで、スキーシーズンで且つ夜間のスキーなど怪我の可能性が高くなるような時間帯にスキー保険を提案するなど、時期的に価値ある商品の提案を行うことが可能になる。
また、気象条件を設定することで、気象条件を考慮して色々な種類の商品の提案を行うことが可能になる。
【００９６】
商品提案メッセージには、提案した商品を購入するウェブページへのリンクが形成されているため、当該携帯電話の使用者は当該リンクにアクセスすることで簡単に当該商品の購入を行うことが可能になる。
【００９７】
商品提案メッセージには、現在時刻よりも前に取得した気象情報と、現在時刻よりも後の気象予報情報とを表示するウェブページへのリンクが形成されているため、当該携帯電話の使用者は、現地（指定領域に対応する地域）の気象に関する詳細な情報を知ることが可能になる。
【００９８】
特に、気象予報情報だけでなく、現地に設置した計測器で取得した客観的な気象情報も使って、情報分析が可能になる。
【００９９】
商品提案メッセージには、現地（指定領域に対応する地域）のカメラ画像を表示するウェブページのリンクが形成されているため、当該携帯電話の使用者は、現地の画像から気象に関する情報を判断することが可能になる。
【０１００】
非案内領域を設定することで、当該商品の提案を必要としない者の携帯電話に対しての商品提案メッセージの送信を制限することが可能になる。
【０１０１】
また、商品提案メッセージに対応する指定領域に入った時の次回以降の商品提案メッセージの送信を拒否する拒否回答ＵＲＬが商品提案メッセージに含められているため、当該拒否回答ＵＲＬへのアクセスにより、非案内領域を追加設定することも出来る。
【０１０２】
また、位置情報の取得に際して、通信キャリアにおける、基地局、移動交換機、ＶＬＲ、ゲートウェイ交換機、ＨＬＲの何れかから、第１携帯電話５１〜第５携帯電話５５の位置情報を取得する場合には、第１携帯電話５１〜第５携帯電話５５のそれぞれに特別のソフトウエアをインストールせずに、それぞれの位置情報を把握し、商品提案メッセージの送信を行うことが可能になる。
【０１０３】
また、本実施形態では、携帯電話の電話番号に対するＳＭＳ、メールアドレスに対する電子メールで、商品提案メッセージを送信する形態を説明したが、第１携帯電話５１〜第５携帯電話５５に所定のソフトウエアをインストールし、これを実行させ、当該ソフトウエア上に商品提案メッセージを送信する形態であってもよい。この場合、第２テーブルＴ２は、電話番号やメールアドレスに代えて、当該ソフトウエアにおける送り先の携帯電話のＩＤなどを送信先に関する情報として登録する。
【符号の説明】
【０１０４】
１  商品提案システム
１０  気象データサーバー
２１〜２３  第１気象情報送信装置〜第３気象情報送信装置
３０  商品提案サーバー
３１  通信部
３３  記録部
３５  制御部
５１〜５５  第１携帯電話〜第５携帯電話
Ａ１〜Ａ３  第１地域〜第３地域
Ｂ１〜Ｂ３  第１指定領域〜第３指定領域
Ｃ１〜Ｃ５  第１非案内領域〜第５非案内領域
Ｄ１  気象予報情報データベース
Ｄ２  気象情報データベース
Ｔ１  第１テーブル（指定領域−案内条件−商品変換テーブル）
Ｔ２  第２テーブル（端末−送信先情報変換テーブル）
【図１】
0006430908.tif 000002
【図２】
0006430908.tif 000003
【図３】
0006430908.tif 000004
【図４】
0006430908.tif 000005
【図５】
0006430908.tif 000006
【図６】
0006430908.tif 000007
【図７】
0006430908.tif 000008
【図８】
0006430908.tif 000009
【図９】
0006430908.tif 000010
【図１０】
0006430908.tif 000011